(57)【要約】      （修正有）【課題】ジャムなどのプリンタ部のエラーが給紙後に発生したとしても色むらのない連続性を有する画像を短時間で複写することのできる複合機システムを提供する。【解決手段】プリンタ部のエラーにより印刷処理が中断されると複写処理が中断され、同一の原稿画像に対して新たな複写処理（再実行処理）が実行される。また、新たな被印刷媒体への複写処理を実行するごとに実行されるスキャナ部による原稿の読み取り処理の前に、光源の白基準値を測定し、印刷処理が中断されても複写モードを継続する。【選択図】      図７
2006311468.tif 000002
【特許請求の範囲】
【請求項１】
原稿に光を照射する光源と、
前記光に基づいて前記原稿を読み取りその読み取り結果に基づいて画像データを作成する読み取り処理を実行するスキャナ部と、
前記画像データが一時的に格納されるメモリ部と、
前記メモリ部に格納された前記画像データに基づいて印刷データを作成しその印刷データに基づいて被印刷媒体への印刷を行って前記原稿に対する複写処理を実行するプリンタ部と、
前記原稿の読み取り処理中に前記プリンタ部のエラーにより印刷処理が中断されると該読み取り処理を停止し、前記エラーの解除後に前記原稿に対する新たな読み取り処理を実行する再実行処理手段と、を備える
ことを特徴とする複合機システム。
【請求項２】
請求項１に記載の複合機システムにおいて、
設定された複写枚数を記憶する複写枚数設定部をさらに備え、
同一の前記原稿に対して設定された複写枚数分の複写処理を実行する複数部複写モードにおいて前記印刷処理が中断されても、前記複数部複写モードを継続する
ことを特徴とする複合機システム。
【請求項３】
請求項１に記載の複合機システムにおいて、
前記光源の白基準値を測定する白基準値測定手段をさらに備え、
前記白基準値測定手段は、新たな被印刷媒体への複写処理を実行するごとに実行される前記スキャナ部による前記原稿の読み取り処理の前に、前記光源の白基準値を測定する
ことを特徴とする複合機システム。
【請求項４】
原稿に光を照射する光源と、
前記光源の白基準値を測定する白基準値測定手段と、
前記光に基づいて前記原稿を読み取りその読み取り結果に基づいて画像データを作成する読み取り処理を実行するスキャナ部と、
前記画像データが一時的に格納されるメモリ部と、
前記メモリ部に格納された前記画像データに基づいて印刷データを作成しその印刷データに基づいて被印刷媒体への印刷を行って前記原稿に対する複写処理を実行するプリンタ部と、
設定された複写枚数を記憶する複写枚数設定部と、
前記原稿の読み取り処理中に前記プリンタ部のエラーにより印刷処理が中断されると該読み取り処理を停止し、前記エラーの解除後に前記原稿に対する新たな読み取り処理を実行する再実行処理手段と、を備え、
同一の前記原稿に対して設定された複写枚数分の複写処理を実行する複数部複写モードにおいて、
前記白基準値測定手段は、新たな被印刷媒体への複写処理を実行するごとに実行される前記スキャナ部による前記原稿の読み取り処理の前に、前記光源の白基準値を測定し、
前記印刷処理が中断されても前記複数部複写モードを継続する
ことを特徴とする複合機システム。
【請求項５】
請求項１〜４の何れか１項に記載の複合機システムにおいて、
前記被印刷媒体は、写真用紙であり、
前記写真用紙に印刷する高画質印刷モードを有する
ことを特徴とする複合機システム。
【請求項６】
請求項１〜５の何れか１項に記載の複合機システムにおいて、
前記エラーは、印刷中の被印刷媒体のジャムによるものである
ことを特徴とする複合機システム。
【請求項７】
原稿に光を照射する光源と、
前記光に基づいて前記原稿を読み取りその読み取り結果に基づいて画像データを作成する読み取り処理を実行するスキャナ部と、
前記画像データが一時的に格納されるメモリ部と、
前記メモリ部に格納された前記画像データに基づいて印刷データを作成しその印刷データに基づいて被印刷媒体への印刷を行って前記原稿に対する複写処理を実行するプリンタ部と、
前記原稿の読み取り処理中に前記プリンタ部のエラーにより印刷処理が中断されると該読み取り処理を中断し、前記エラーの解除後に、あらかじめ定めた読み取り再開条件が満たされているかどうかを判断し、
読み取り再開条件を満たしている場合には、前記原稿に対する読み取り処理を再開し、読み取り再開条件を満たしていない場合には、前記原稿に対する新たな読み取り処理を実行する読み取り制御手段と、を備える
ことを特徴とする複合機システム。
【請求項８】
請求項７に記載の複合機システムにおいて、
前記読み取り再開条件は、
被印刷媒体として所定の種類の印刷用紙がセットされている
ことを特徴とする複合機システム。
【請求項９】
請求項７に記載の複合機システムにおいて、
前記読み取り再開条件は、
複写処理のモードとして所定のモードが設定されている
ことを特徴とする複合機システム。
【請求項１０】
請求項７に記載の複合機システムにおいて、
前記読み取り再開条件は、
前記読み取り処理の中断から前記エラーの解除までの時間が基準時間以内である
ことを特徴とする複合機システム。
【請求項１１】
請求項７に記載の複合機システムにおいて、
前記読み取り再開条件は、
前記読み取り処理の中断の際に読み取りに係る画像データと、前記エラーの解除後の読み取りに係る画像データとの色差が基準値以下である
ことを特徴とする複合機システム。
【請求項１２】
請求項７に記載の複合機システムにおいて、
前記読み取り再開条件は、
前記読み取り処理の中断の際の光源の光量と、前記エラーの解除後の光源の光量との差が基準値以下である
ことを特徴とする複合機システム。
【発明の詳細な説明】
【技術分野】
【０００１】
この発明は、複合機システムに関するものである。
【背景技術】
【０００２】
近年、スキャナ機能（Scanner）、プリンタ機能（Printer）、コピー機能（Copy）など複数機能を有するスキャナ一体型のプリンタ（ＳＰＣ複合装置）が一般家庭に普及しつつある。
【０００３】
このＳＰＣ複合装置（複合機）は、原稿から画像を読み取る処理を行うスキャナ部と、被印刷媒体に印刷画像を印刷する処理を行うプリンタ部と、スキャナ部で読み取られた画像データが一時的に記憶されるメモリと、を備えている。
【０００４】
スキャナ部は、原稿台上の原稿に光を照射する照射光源である露光ランプと、原稿から反射された反射光を検出するフォトダイオードを一列に配列したセンサ（リニアイメージセンサ）と、を備えている。スキャナ部はセンサ（又は原稿）をセンサの配列方向（主走査方向）に対して垂直な方向（副走査方向）に移動させ、その位置（位置情報）に対応する色（色情報）を画像データとしてメモリに記憶する。メモリに記憶されている画像データは印刷データに変換される。プリンタ部が印刷データに基づいて印刷処理を実行することにより、ＰＣを介することなく複写処理を行うスタンドアローンコピー機能が実現される。
【０００５】
ところで、メモリの記憶容量は限られているため、大きなメモリ領域を必要とする原稿画像の読み取り処理中（例えば、カラー原稿、写真原稿、高解像度（dpi）の読み取り等）にメモリ容量が不足する場合がある。メモリ容量の不足による処理エラーを防ぐため、読み取り処理と印刷処理とを並行して行い、すでに印刷データに変換されたデータが格納されていたメモリ領域に新たな読み取り処理で取得したデータの上書きを許容することが行なわれている。これにより、メモリ容量の小さい（例えば一枚分の原稿画像を読み取ることができない）メモリを用いた複合機での複写処理を可能としている。
【０００６】
このとき、搬送系エラーなどによって印刷処理が中断されると、印刷データへの変換も止まる。このため、読み取り処理で取得したデータをメモリに書き込むことができなくなり、読み取り処理が中断されることになる。
【０００７】
読み取り処理の中断時間Ｔが長くなると、例えば図１０に示すように光量が時間的に変化する照射光源（例えば白色冷陰極蛍光ランプなど）を用いている場合、読み取り処理が中断される前後の光量の変化量Ｌが大きくなることがある。これにより、読み取り処理が中断される前後に得られた画像データ同士で明暗の差が生じて、色むらがある複写画像が印刷され、複写画像の連続性が喪失されるおそれがある。
【０００８】
このような問題を解決するために、特許文献１に記載されている複合機システムは、給紙処理が完了した後に画像の読み取り処理を開始するようにしている。これにより、ジャムや用紙切れなどの給紙時の搬送系エラーが発生した場合であっても、搬送系エラーが解除された後に読み取り処理が開始されるため、照射光源の光量が異なる画像データが読み取られることを防いでいる。
【０００９】
【特許文献１】特開２００４−１２８８９６号公報
【発明の開示】
【発明が解決しようとする課題】
【００１０】
しかしながら、給紙が成功した後にも搬送系エラーが発生する可能性がある。例えば、印刷の紙送り最中のジャム等である。印刷開始後にこのような搬送系エラーがが発生した場合には、メモリ容量の不足による処理エラーを防ぐため、読み取り処理が中断されることになり、複写画像の連続性が損なわれるという従来と同様の問題が生じてしまうおそれがある。
【００１１】
一方で、複写処理の目的あるいは複合機の状態等によっては、複写画像において多少の連続性が損なわれても許容できたり、処理速度が優先される場合もある。また、読み取り処理が中断されても、色むらがほとんど発生しないと考えられる場合もある。
【００１２】
この発明は、こうした従来の実情に鑑みてなされたものであり、その第１の目的は、ジャムなどのプリンタ部のエラーが給紙後に発生したとしても色むらがない連続性を有する複写画像を複写することのできる複合機システムを提供することにある。
【００１３】
また、本発明の第２の目的は、ジャムなどのプリンタ部のエラーが給紙後に発生したとしても色むらがない連続性を有する複写画像を複写することのできる複合機システムにおいて、より状況に即した複写処理を行なえるようにすることにある。
【課題を解決するための手段】
【００１４】
上記目的を達成するため、本発明の第１の態様は、原稿に光を照射する光源と、前記光に基づいて前記原稿を読み取りその読み取り結果に基づいて画像データを作成する読み取り処理を実行するスキャナ部と、前記画像データが一時的に格納されるメモリ部と、前記メモリ部に格納された前記画像データに基づいて印刷データを作成しその印刷データに基づいて被印刷媒体への印刷を行って前記原稿に対する複写処理を実行するプリンタ部と、前記原稿の読み取り処理中に前記プリンタ部のエラーにより印刷処理が中断されると該読み取り処理を停止し、前記エラーの解除後に前記原稿に対する新たな読み取り処理を実行する再実行処理手段と、を備えることを要旨とする複合機システムである。
【００１５】
この構成によれば、（例えば原稿１枚分のデータを記憶するページメモリを備えない装置で）印刷中に給紙エラーやジャムなどの搬送系エラーが発生しスキャナ部による読み取り処理が原稿の読み取りの途中で中断したままエラー解除に時間がかかったとしても、エラーが解除された後に原稿は最初から読み取られる。よって、光量が時間的に変化する光源を用い、エラーの前後で光量が変化したとしても色むらを防ぐことができる。
【００１６】
上述した複合機においては、設定された複写枚数を記憶する複写枚数設定部をさらに備え、同一の前記原稿に対して設定された複写枚数分の複写処理を実行する複数部複写モードにおいて前記印刷処理が中断されても、前記複数部複写モードを継続するといった構成を採用することができる。
【００１７】
この構成によれば、複写枚数はモードが完了するまで記憶されるため、ユーザに複写枚数やサイズなどの複写条件の入力を促すことなく複写処理を継続することができる。
【００１８】
上述した複合機においては、前記光源の白基準値を測定する白基準値測定手段をさらに備え、前記白基準値測定手段は、新たな被印刷媒体への複写処理を実行するごとに実行される前記スキャナ部による前記原稿の読み取り処理の前に、前記光源の白基準値を測定するといった構成を採用することもできる。
【００１９】
また、上記目的を達成するため、原稿に光を照射する光源と、前記光源の白基準値を測定する白基準値測定手段と、前記光に基づいて前記原稿を読み取りその読み取り結果に基づいて画像データを作成する読み取り処理を実行するスキャナ部と、前記画像データが一時的に格納されるメモリ部と、前記メモリ部に格納された前記画像データに基づいて印刷データを作成しその印刷データに基づいて被印刷媒体への印刷を行って前記原稿に対する複写処理を実行するプリンタ部と、設定された複写枚数を記憶する複写枚数設定部と、前記原稿の読み取り処理中に前記プリンタ部のエラーにより印刷処理が中断されると該読み取り処理を停止し、前記エラーの解除後に前記原稿に対する新たな読み取り処理を実行する再実行処理手段と、を備え、同一の前記原稿に対して設定された複写枚数分の複写処理を実行する複数部複写モードにおいて、前記白基準値測定手段は、新たな被印刷媒体への複写処理を実行するごとに実行される前記スキャナ部による前記原稿の読み取り処理の前に、前記光源の白基準値を測定し、前記印刷処理が中断されても前記複数部複写モードを継続することを要旨とする複合機システムとすることもできる。
【００２０】
この構成によれば、同一の原稿画像を複数部印刷する複写処理中に、給紙エラーやジャムなどの搬送系エラーが発生しても、光源の光量の変化を考慮しつつ複数部の複写処理を完了させることができる。よって、光量が時間的に変化する光源が用いられても、連続した原稿画像が複写された被印刷媒体の途中で色むらが発生することを防ぐことができる。
【００２１】
また、各被印刷媒体毎の光源の光量の変化は各被印刷媒体ごとに白基準値を測定することでキャンセルされ、１枚の被印刷媒体内での光源の光量の変化は印刷処理が中断されると読み取り処理を停止し新たな複写処理が実行されることによって低減される。
【００２２】
上述した複合機においては、前記被印刷媒体は、写真用紙であり、前記写真用紙に印刷する高画質印刷モードを有するといった構成を採用することもできる。
【００２３】
この構成によれば、高画質印刷モードが選択されることで写真用紙に対して再実行処理手段による新たな複写処理が実施されるため、再実行処理手段による新たな複写処理が実施される被印刷媒体が限定される。よって、例えば普通紙などのように色むらが表れにくい印刷用紙に再実行処理手段による新たな複写処理が実行されることを妨げることができる。
【００２４】
上述した複合機においては、前記エラーは、印刷中の被印刷媒体のジャムによるものであるといった構成を採用することができる。
【００２５】
上記目的を達成するため、本発明の第２の態様は、原稿に光を照射する光源と、前記光に基づいて前記原稿を読み取りその読み取り結果に基づいて画像データを作成する読み取り処理を実行するスキャナ部と、前記画像データが一時的に格納されるメモリ部と、前記メモリ部に格納された前記画像データに基づいて印刷データを作成しその印刷データに基づいて被印刷媒体への印刷を行って前記原稿に対する複写処理を実行するプリンタ部と、前記原稿の読み取り処理中に前記プリンタ部のエラーにより印刷処理が中断されると該読み取り処理を中断し、前記エラーの解除後に、あらかじめ定めた読み取り再開条件が満たされているかどうかを判断し、読み取り再開条件を満たしている場合には、前記原稿に対する読み取り処理を再開し、読み取り再開条件を満たしていない場合には、前記原稿に対する新たな読み取り処理を実行する読み取り制御手段と、を備えることを要旨とする複合機システムである。
【００２６】
この構成によれば、印刷中に給紙エラーやジャムなどの搬送系エラーが発生しスキャナ部による読み取り処理が原稿の読み取りの途中で中断した場合でも、読み取り再開条件が満たされているときには、原稿を最初から読み直さずに読み取り処理を再開するため、複写時間を短縮することができる。
【発明を実施するための最良の形態】
【００２７】
以下、本発明にかかる複合機システムの一実施形態として複合機に具体化したものを図面に従って説明する。図１は、本実施形態の複合機を示す斜視図であり、図２は、原稿台カバーを開いた状態の複合機を示す斜視図である。
【００２８】
本実施形態の複合機は、パーソナルコンピュータ（以下、ＰＣとする）からのスキャン指示に従ってスキャン処理を実行するスキャン機能（Scanner）、ＰＣから印刷指示に従って印刷処理を実行するプリンタ機能（Printer）、複合機単体で複写処理を行なうコピー機能（Copy）など複数機能を有する複合装置（以下、ＳＰＣ複合装置という）である。
【００２９】
図１及び図２に示すように、ＳＰＣ複合装置１は、原稿の画像（原稿画像）を読み取って画像データを生成するスキャナ部２と、画像データに基づいて画像を用紙等の被印刷媒体に印刷するプリンタ部３と、ユーザが操作するための操作パネル部４とを備える。ＳＰＣ複合装置１において、スキャナ部２で読み取った画像データがプリンタ部３に送信され内部の処理回路で印刷データに変換され、その印刷データに基づく画像が用紙に印刷されることでスタンドアローンコピー機能が実現される。
【００３０】
スキャナ部２はプリンタ部３の上に配置されており、そのスキャナ部２の上部には、スキャナ部２に読み取られる原稿を載置するための例えばＡ４判の原稿台ガラス５と、原稿を読み取る際や不使用時に原稿台ガラス５を覆う原稿台カバー６とが設けられている。原稿台カバー６は、開閉可能に形成され、閉止した際には原稿台ガラス５上に載置された原稿を原稿台ガラス５側に押圧する機能も有している。
【００３１】
また、ＳＰＣ複合装置１の背面側にはプリンタ部３へ用紙を供給するための用紙供給部７が設けられ、その用紙供給部７には、カット紙（図示しない）を保持する給紙トレー８が備えられている。また、ＳＰＣ複合装置１の前面側の下部にはプリンタ部３で印刷された用紙を排紙する排紙部９が設けられ、その排紙部９には、不使用時に排紙口を塞ぐことが可能な排紙トレー１０が備えられている。さらに、排紙部９の上部に操作パネル部４が設けられている。なお、本実施形態においては、前記カット紙の最大用紙サイズとしてＡ４判を例に説明するが、これは一例であり、何等これに限るものではない。
【００３２】
操作パネル部４は、ユーザがＳＰＣ複合装置１を直接操作するためのものであり、そのほぼ中央に液晶ディスプレイ１１が設けられている。液晶ディスプレイ１１は、設定項目や設定状態、動作状態等を文字にて表示することが可能であるとともに、スキャナ部２で読み取った画像を表示することも可能である。この液晶ディスプレイ１１の図１又は図２に図示する状態において左側には、電源ボタン１２と、スキャンボタン１３と、設定表示ボタン１４と、クリアボタン１５とが設けられている。
【００３３】
電源ボタン１２は、ＳＰＣ複合装置１の電源を投入、遮断するためのボタンである。スキャンボタン１３は、スキャナ部２による原稿の読み取りを開始させるためのボタンである。設定表示ボタン１４は、ユーザにより設定されたコピー機能に対する設定状態を液晶ディスプレイ１１に表示させるためのボタンである。クリアボタン１５は、コピー機能に対する設定をクリアし、各設定項目をデフォルト値に変更するためのボタンである。
【００３４】
液晶ディスプレイ１１の図１又は図２に図示する状態において右側には、カラーコピーボタン１６と、モノクロコピーボタン１７と、ストップボタン１８と、コピー枚数設定ボタン１９（１９ａ，１９ｂ）とが設けられている。カラーコピーボタン１６は、カラーコピーを開始させるためのボタンであり、モノクロコピーボタン１７はモノクロコピーを開始させるためのボタンである。したがって、これらのコピーボタン１６，１７は、コピー動作の開始指示と、出力すべき画像がカラー又はモノクロのいずれであるかを選択する選択手段とを兼ねている。
【００３５】
また、カラーコピーボタン１６は例えば用紙不足やジャムなどの給紙系エラーによって印刷処理（複写処理）が中断されたとき、搬送系エラーが解除されたことをユーザがＳＰＣ複合装置１に通知するための通知手段としても機能する。ストップボタン１８は、一旦開始したコピー動作を中止させるためのボタンである。コピー枚数設定ボタン１９は、表面に「＋」又は「−」が表記された２つのボタン１９ａ，１９ｂで構成され、「＋」ボタン１９ａを押すことにより設定枚数が増加され、「−」ボタン１９ｂを押すことにより設定枚数が減少される。
【００３６】
液晶ディスプレイ１１の手前側には、液晶ディスプレイ１１に表示される設定項目を切り替えるメニューボタン２０が設けられている。メニューボタン２０は、左右に配置された２つのボタンで構成され、それぞれ左向きの矢印または右向きの矢印が表記されている。左右いずれかのメニューボタン２０が押される毎に、表示される設定項目が決められた順に順次切り替わり、一通り表示し終わると最初の設定項目が表示される。左右の矢印は、設定項目を表示する順番を変更するためであり、両ボタン２０は、互いに他のボタンを押した際の表示順と逆の順番で設定項目を表示する。
【００３７】
なお、液晶ディスプレイ１１には、印刷用紙Ｐの種類（例えば、写真用の光沢紙や普通紙等）毎に複写処理の品質（コピー品質モード）を設定するためのメニュー画面も表示される。ユーザは液晶ディスプレイ１１を参照しメニューボタン２０を操作することによって希望する品質の複写画像を得るためのコピー品質モードを選択することができる。
【００３８】
次に、図３（ａ）、（ｂ）に示すスキャナ部２の模式図を用いてスキャナ部２について詳しく説明する。なお、図３（ａ）は平面図であり、（ｂ）は側面図である。
【００３９】
図３に示すように、スキャナ部２は、略長方形状の面を有する板状に形成され原稿Ｍの載置される原稿台ガラス５と、原稿台ガラス５の板厚方向において原稿台ガラス５を挟んで原稿Ｍと対向する態様で配設される読み取りキャリッジ２１とを備えている。
【００４０】
原稿台ガラス５の長手方向一端側の内周縁部には、矩形板状に形成された白基準板２２が原稿台ガラス５の幅方向に延びる態様で配設されている。
【００４１】
読み取りキャリッジ２１は、原稿台ガラス５の長手方向に往復移動自在に収容され、原稿台ガラス５に対して平行に配置された図示しないガイド用のシャフトなどにより原稿台ガラス５に対して平行に移動するよう案内される。読み取りキャリッジ２１は光学系２３とリニアイメージセンサ２４とを備えている。光学系２３及びリニアイメージセンサ２４は、読み取りキャリッジ２１の長手方向に沿って配設されており、読み取りキャリッジ２１によって原稿台ガラス５の長手方向に搬送される。
【００４２】
なお、以後の説明では、スキャナ部２において読み取りキャリッジ２１の長手方向を主走査方向（図３（ａ）参照）とし、原稿台ガラス５の長手方向（主走査方向に対して垂直な方向）を副走査方向（図３（ｂ）参照）とする。
【００４３】
光学系２３は、光源２３ａ、ミラー２３ｂ、集光レンズ２３ｃなどで構成されている。光源２３ａは例えば白色冷陰極蛍光ランプであり、長手方向軸がリニアイメージセンサ２４の長手方向軸に沿って平行に延びる姿勢で読み取りキャリッジ２１に搭載されている。なお、光源２３ａから照射された照射光は原稿Ｍに反射し、ミラー２３ｂ及び集光レンズ２３ｃを介してリニアイメージセンサ２４に結像される。リニアイメージセンサ２４は原稿台ガラス５に載置された原稿画像を光学的に読み取って電荷に変換し蓄える。
【００４４】
なお、複写処理が開始されるごとに光源２３ａから白基準板２２に照射光が照射され、白基準板２２に反射された反射光をリニアイメージセンサ２４が検出することにより光源２３ａの光量が測定される。
【００４５】
次に、図４を用いてプリンタ部３について詳しく説明する。なお、図４はプリンタ部３の概略構成を示す側面図である。
【００４６】
図４に示すようにプリンタ部３は、被印刷媒体としての印刷用紙Ｐにインクを吐出する書き込みキャリッジ３１と、印刷用紙Ｐを書き込みキャリッジ３１に供給する給紙ローラ３２と、印刷用紙Ｐを書き込みキャリッジ３１から排出する排紙ローラ３３とを備えている。なお、本実施形態においてプリンタ部３は、印刷用紙等の媒体上にインク滴を吐出することによって画像を形成するインクジェット方式を採用している。
【００４７】
書き込みキャリッジ３１は、給紙ローラ３２及び紙送りローラ３５による印刷用紙Ｐの搬送方向（図４に図示する状態で左方向）に対して略垂直な方向に延びる態様で架設されたガイド部材３１ａに沿って往復移動可能に配設されている。なお、プリンタ部３において書き込みキャリッジ３１が往復動作する方向（紙面に対して垂直な方向）を主走査方向とし、印刷用紙Ｐが供給される方向（主走査方向に対して垂直な方向）を副走査方向とする。
【００４８】
また、書き込みキャリッジ３１は、インク滴が吐出されるノズル（図示略）を有し、書き込みキャリッジ３１の下方に配設される記録ヘッド３４と、インクカートリッジＫとを備えている。
【００４９】
インクカートリッジＫにはシアン（Ｃ）、マゼンタ（Ｍ）、イエロ（Ｙ）、ブラック（Ｋ）の４色の色インクが充填されている。記録ヘッド３４のノズルから色インクが印刷用紙に吐出されることでプリンタ部３はカラー画像を出力する。なお、色インクとして、上記４色に加えて、ライトシアン（薄いシアン、ＬＣ）、ライトマゼンタ（薄いマゼンタ、ＬＭ）、ダークイエロ（暗いイエロ、ＤＹ）を用いてもよい。
【００５０】
給紙ローラ３２は、回転動作により給紙トレー８にセットされた印刷用紙Ｐを１枚ずつ書き込みキャリッジ３１側へ搬送する。給紙ローラ３２の給紙方向下流側（図４に図示する状態で左側）には、紙送りローラ３５と、紙送りローラ３５と給紙ローラ３２との間に配設され印刷用紙Ｐを案内する一対のガイド３６ａ，３６ｂが配置されている。
【００５１】
紙送りローラ３５は、紙送りローラ３５の回転に追従する従動ローラ３５ａと対をなしており、給紙ローラ３２によって供給された印刷用紙Ｐを挟持する。印刷用紙Ｐは紙送りローラ３５及び従動ローラ３５ａの回転動作により書き込みキャリッジ３１の下方へ搬送される。
【００５２】
ガイド３６ａ，３６ｂの用紙入口付近には、その下端が用紙通路に達する長さで延出するレバー３７と、そのレバー３７の上端部を検知対象とする紙検出センサ３８とを備えている。紙検出センサ３８は、給紙される印刷用紙Ｐがレバー３７の下端を押してこれを回動させるとオンし、レバー３７の下端を押す印刷用紙Ｐの後端が通過するとレバー３７がバネの付勢力で原位置（復帰位置）に復帰してオフする。つまり、紙検出センサ３８により印刷用紙切れなどの搬送系エラーが検出される。
【００５３】
排紙ローラ３３は書き込みキャリッジ３１の下流側に設けられている。排紙ローラ３３は、紙送りローラ３５と協働し、回動動作によって印刷用紙Ｐを搬送する。給紙時には、紙送りローラ３５と排紙ローラ３３とによって前の印刷用紙Ｐの排紙がなされるとともに、給紙ローラ３２と紙送りローラ３５とによって次の印刷用紙Ｐの給紙がなされる。
【００５４】
給紙ローラ３２、排紙ローラ３３及び紙送りローラ３５によって副走査方向に搬送される印刷用紙Ｐに対して書き込みキャリッジ３１が主走査方向に往復動作をすることにより、記録ヘッド３４は印刷用紙Ｐに対する位置を設定される。所定の位置に配設された記録ヘッド３４から所定のタイミングでインク滴が吐出されることにより印刷用紙Ｐにドットが形成され印刷が行われる。印刷された印刷用紙は、紙送りローラ３５及び排紙ローラ３３の回転により書き込みキャリッジ３１の下流側（図４中左側）に搬送され、排紙部９（図１又は図２参照）から排紙される。
【００５５】
図５は、ＳＰＣ複合装置１の電気的構成を示すブロック図である。なお、図５には、コピー機能を実現するための回路構成を記載しており、パーソナルコンピュータ（ＰＣ）等に接続してプリンタやスキャナとして機能する場合に必要となるインターフェース回路や処理回路等は省略している。
【００５６】
ＳＰＣ複合装置１は、プリンタ部３のケース内に全体的な制御を司るメイン基板（図示略）を備える。このメイン基板には、ＣＰＵ組み込みＡＳＩＣ（Application Specific ＩＣ）４１、プログラムＲＯＭ４２、第１のＳＤＲＡＭ４３、及び第２のＳＤＲＡＭ４４とが実装されている。
【００５７】
ＡＳＩＣ４１にはプログラムＲＯＭ４２と第１のＳＤＲＡＭ４３と操作パネル部４等とが外付けされており、それらはＡＳＩＣ４１上の内部バス４１ａに接続されている。また、ＡＳＩＣ４１は、内部バス４１ａに接続されたＣＰＵ４５、スキャナ駆動回路４６、スキャナ入力回路４７、画像処理回路４８、ヘッド制御ユニット４９、及び、エラー検出回路５０が内蔵されている。
【００５８】
プログラムＲＯＭ４２には、ＣＰＵ４５により実行される制御プログラムなどが記憶されている。第１のＳＤＲＡＭ４３は、スキャナ部２によって読み取られた画像データやプリンタ部３で印刷される印刷データなどが一時的に記憶される。第２のＳＤＲＡＭ４４は、スキャナ入力回路４７と画像処理回路４８に接続されており、各回路４７、４８における処理の前後の画像データや印刷データが一時的に格納されるメモリ部として機能する。この第２のＳＤＲＡＭ４４のメモリ領域には、ラインバッファ４４ａ、マイクロウィーブ（Micro Weave）バッファ４４ｂ、イメージバッファ４４ｃがそれぞれ割り当てられている。
【００５９】
ＣＰＵ４５は演算装置であり、プログラムＲＯＭ４２に記憶されている制御プログラムを実行する。ＣＰＵ４５がプログラムＲＯＭ４２に記憶されている制御プログラムに基づいてスキャナ部２やプリンタ部３を制御することにより、読み取り処理や印刷処理などの各処理が実行される。
【００６０】
スキャナ駆動回路４６はスキャナ部２の各機構を駆動させるためのものでありスキャナ部２の読み取りキャリッジ２１を駆動するモータなどのスキャナ駆動部４６ａに接続されている。スキャナ駆動部４６ａは、読み取りキャリッジ２１や光源２３ａを操作して主走査方向に沿った方向の原稿画像を読み取るとともに、読み取りキャリッジ２１を副走査方向に移送する。スキャナ駆動部４６ａがスキャナ駆動回路４６からの信号に基づいて読み取りキャリッジ２１を操作することにより、原稿台ガラス５に載置された原稿Ｍの二次元の画像データがスキャナ部２に読み取られる。
【００６１】
スキャナ入力回路４７にはスキャナ部２の信号処理部４７ａが接続されている。信号処理部４７ａはＡ／Ｄ変換回路（図示略）を備え、読み取りキャリッジ２１の有するリニアイメージセンサ２４に蓄えられている電荷をＡ／Ｄ変換する。Ａ／Ｄ変換されたデータはシェーディング補正、ガンマ補正、画素補間等の各種のディジタル変換処理が施されＡＳＩＣ４１のスキャナ入力回路４７に入力される。
【００６２】
なお、シェーディング補正は、リニアイメージセンサ２４の光電変換素子ごとの感度ばらつきや光源２３ａの主走査方向における照射光量分布などに起因するシェーディングを補正するものであり、白基準板２２を読み取ることで得られた白基準値を用いて実施される。すなわち、白基準板２２と信号処理部４７ａとによって光源から照射される光の白基準値を測定する白基準値測定手段として機能する。
【００６３】
スキャナ入力回路４７は、ＣＰＵ４５の制御の下、スキャナ部２から入力される各ラスタラインデータ（ＲＧＢの多階調画像データ）を第２のＳＤＲＡＭ４４のラインバッファ４４ａに一旦蓄える。そして、スキャナ入力回路４７は、このラインバッファ４４ａに取り込んだＲＧＢデータに対してライン間補正処理を順次施し、同一ラインに対するＲＧＢデータとして画像処理回路４８に送る。なお、ライン間補正処理とは、スキャナ部２の構造上発生するＲ、Ｇ、Ｂの各リニアセンサ間の読み取り位置のズレを補正する処理である。
【００６４】
また、スキャナ入力回路４７は、ライン間補正処理と並行して、ＲＧＢデータの読み取り解像度［ｄｐｉ］を、プリンタ部３が印刷するための印字解像度［ｄｐｉ］に変換する解像度変換処理も行う。つまり、ＲＧＢデータの読み取り解像度が、印字解像度よりも低い場合には、線形補間等を行って隣接するデータ間に新たなデータを生成し、逆に印字解像度よりも高い場合には、一定の割合でデータを間引く等して、ＲＧＢデータの解像度を印字解像度に揃える。なお、これは拡大若しくは縮小コピーする際にも同様である。
【００６５】
スキャナ駆動回路４６とスキャナ入力回路４７とがＣＰＵ４５によって制御されることにより、スキャナ部２において読み取り処理が実行される。
【００６６】
画像処理回路４８は、解像度変換処理が施された画像データを取り込み、色変換処理、ハーフトーン処理、マイクロウィーブ処理などの画像処理を行う。色変換処理は、ＲＧＢの多階調画像データから、ＣＭＹＫの４色の多階調画像データに変換する処理である。ハーフトーン処理は、多階調データを面積階調データに変換する処理である。マイクロウィーブ処理は、行間の縞（バンディング）を防止すべく、ドットラインの形成方法を調節する処理である。
【００６７】
この画像処理回路４８において、マイクロウィーブ処理が施されたデータはマイクロウィーブバッファ４４ｂに格納される。さらに、画像処理回路４８は、そのバッファ４４ｂに格納したデータを所定のサイズ毎に読み出して、諸情報（例えば、各色毎のノズル数、ヘッド走査回数など）に基づき並び替えた後、イメージバッファ４４ｃに転送する。このデータ転送の結果、イメージバッファ４４ｃには、プリンタ部３に設けられた書込キャリッジ（図示略）の走査毎の各ノズルにインクを吐出させるためのヘッド駆動データ（印刷データ）が格納される。
【００６８】
イメージバッファ４４ｃに記憶された走査毎のヘッド駆動データ（印刷データ）はＣＰＵ４５によって読み出され、ヘッド制御ユニット４９に転送される。ヘッド制御ユニット４９が印刷データに基づいて印刷用紙に印刷することでスキャナ部２が読み取った画像に対するコピー印刷が実現される。
【００６９】
ヘッド制御ユニット４９は、プリンタ部３のキャリッジ駆動部４９ａとローラ駆動部４９ｂとに接続されている。
【００７０】
キャリッジ駆動部４９ａは、書き込みキャリッジ３１をガイド部材３１ａに沿って主走査方向に摺動させるモータや記録ヘッド３４のノズルからインク滴を吐出させるための機構等を有する。
【００７１】
ローラ駆動部４９ｂは、給紙ローラ３２や排紙ローラ３３、紙送りローラ３５などの印刷用紙Ｐを副走査方向に搬送するための機構である。ヘッド制御ユニット４９は、ＣＰＵ４５の制御によりヘッド駆動データに基づいてキャリッジ駆動部４９ａやローラ駆動部４９ｂを駆動し、書き込みキャリッジ３１を所定の位置に移動させインク滴の吐出の有無や、吐出するインク滴の量を制御する。
【００７２】
エラー検出回路５０は、プリンタ部３の紙検出センサ３８に接続されている。ＣＰＵ４５は紙検出センサ３８の検出結果に基づいて記録ヘッド３４に印刷用紙Ｐが適切に供給されているかを判断する。
【００７３】
次に、ＣＰＵ４５によって実行される複写処理について説明する。
【００７４】
図６は複写処理によって得られる複写画像の説明図であり、図７はスキャナ部２で読み取った写真などの原稿の画像データをプリンタ部３で印刷する複写処理を示すフローチャートである。なお、本処理は前述したプログラムＲＯＭ４２に格納されているプログラムがＣＰＵ４５によって実行されることにより実現される。
【００７５】
前述したように、スキャナ部２の読み取り処理によって読み取られたデータは順次ラインバッファ４４ａを介してマイクロウィーブバッファ４４ｂに蓄積され、そのマイクロウィーブバッファ４４ｂのデータは逐次変換されてイメージバッファ４４ｃに格納される。プリンタ部３はイメージバッファ４４ｃに格納された印刷データを読み出し、印刷処理を実行する。すなわち、読み取り処理と印刷処理とがほぼ並行して実行される。
【００７６】
ここで、例えば、原稿の画像データのサイズが大きくなる高解像度でカラーコピーする時などには、原稿１枚分（連続した原稿画像）のデータを記憶することができない場合がある。このような場合は、読み取り処理で読み取られたデータを、マイクロウィーブバッファ４４ｂの、マイクロウィーブバッファ４４ｂからイメージバッファ４４ｃに格納されたデータが存在していた領域に上書きする。
【００７７】
なお、読み出されて転送されたデータが存在していた領域へのデータの書き込み方法はメモリ領域にデータを直接上書きする方法に限る物ではない。例えば、領域にヌルデータを書き込んだ後に領域に書き込むようにしてもよい。データの上書きは、原稿の画像データのサイズが大きくなる高解像度でカラーコピーする場合に起こりやすく、画像データが小さくなる低解像度でモノクロコピーする場合には起こり難い。
【００７８】
ところで、複写処理中に給紙エラーなどの搬送系のエラーが生じ複写処理が中断されると、マイクロウィーブバッファ４４ｂに格納されているデータは印刷データに変換されないためマイクロウィーブバッファ４４ｂへの新たなデータの書き込みが許容されない。そのため、読み取り処理は、原稿画像全体に相当する画像データを取得する前に中断される。そして、搬送系のエラーが解消されると、読み取り処理が中断される前に取得された画像データが印刷データに変換され、読み取り処理が再開される。
【００７９】
光量が経時変化する光源を用いた場合、読み取り処理が中断されてから再開されるまでの時間が長くなると、読み取り処理が中断される前後の光量の差が大きくなる。よって、読み取り処理の中断前のデータによる画像ＰＰ１と、読み取り処理が再開された後のデータによる画像ＰＰ２との間に差が生じ色むらのある画像が印刷されるおそれがある。
【００８０】
なお、複数部（例えば２部）の高解像度のカラーコピーが実行されるときなどには一枚目の印刷用紙Ｐ１に対する複写処理が完了した後、給紙トレー８に印刷用紙が無いにもかかわらず読み取り処理が実行され、二枚目の印刷用紙Ｐ２に色むらのある画像が印刷され易いと考えられる（図６参照）。
【００８１】
本実施形態に示すＳＰＣ複合装置１は、複写処理において色むらのある複写画像が印刷されることを防ぐため、印刷処理が中断されると実行中の読み取り処理を停止し新たな読み取り処理を実行する再実行処理手段を有する。なお、再実行処理手段はＣＰＵ４５がプログラムＲＯＭ４２に記憶されている制御プログラムを実行することによって実現される。
【００８２】
次に、図７を用いてＳＰＣ複合装置１によって実行される複写処理について説明する。
【００８３】
まず、ユーザが操作パネル部４のコピー枚数設定ボタン１９を操作してコピー枚数（例えば、５枚）を設定するとともに、メニューボタン２０を操作してコピー品質モード等を設定する。そして、原稿Ｍを原稿台ガラス５に載置した後、カラーコピーボタン１６をオンすると図７の処理が開始される。
【００８４】
ステップ１００において、ＣＰＵ４５は、操作パネル部４からコピー枚数、コピー品質モード等の情報を受信し、ＳＤＲＡＭ４３に設定する。ステップ１００において印刷用紙に応じたコピー品質モードが設定されることにより、例えば、写真用紙へのコピーであれば、ＣＰＵ４５は本複写処理が高い解像度が要求される複写処理であると認識する。
【００８５】
続くステップ１０１において、ＣＰＵ４５は、その設定に応じた制御信号をスキャナ部２とプリンタ部３とに出力し、複写処理を実行させる。詳述すると、まず、ＣＰＵ４５は、スキャナ駆動回路４６及びスキャナ入力回路４７に制御信号を出力して読み取りキャリッジ２１を移動させマイクロウィーブバッファ４４ｂに画像データを格納する。次に、ＣＰＵ４５は、印字サイズ、印字解像度等の設定に応じた制御信号を画像処理回路４８に出力し、該画像処理回路４８に所定の画像処理（色変換処理、ハーフトーン処理、マイクロウィーブ処理など）を行わせる。
【００８６】
そして、ＣＰＵ４５は、その印刷データをヘッド制御ユニット４９に転送し、転送したデータに基づいて記録ヘッド３４を駆動することで作成された画像データに相当する分の印刷データを作成し印刷用紙Ｐに画像の一部を印刷する。
【００８７】
複写処理中、ＣＰＵ４５は、紙検出センサ３８などの検出信号により印刷処理が的確に実行されているか（給紙エラーや紙送りエラーなどの搬送系のエラーが発生し印刷処理が中断されたか）を判断する（ステップ１０２）。
【００８８】
印刷処理が中断されなかった場合（搬送系エラーが発生しなかった場合）、ＣＰＵ４５はステップ１０３に移行し、一枚目の印刷用紙に対する印刷処理を終了しカウンタに加算する。ここで、カウンタは、ユーザによって予め設定された複写枚数を記憶する複写枚数設定部として機能し、ステップ１００において初期値（例えば１）が設定されている。
【００８９】
ＣＰＵ４５はカウンタを参照して設定された枚数分の複写処理が実行されたかを判断する。なお、複写処理が所定枚数分実行されたかを判断する方法はこのような態様に限定されず適宜変更可能である。さらに、ＣＰＵ４５はステップ１０４の処理に移行し、カウンタを参照して設定コピー枚数分（５枚分）印刷したか否かを判定する。
【００９０】
ステップ１０４において設定コピー枚数分の印刷が実行されていないと判断された場合、ＣＰＵ４５は、ステップ１０１に移行して再び複写処理を実行する。ステップ１０４において、設定コピー枚数分の印刷が実行されたと判断された場合、ＣＰＵ４５は本処理を終了する。
【００９１】
ステップ１０２において印刷処理が中断されたと判断された場合、ＣＰＵ４５はステップ１０５に移行し読み取り処理を停止する。さらに、ＣＰＵ４５は、ステップ１０６に移行し液晶ディスプレイ１１に搬送系エラーの排除をユーザに促す画面を表示し、ユーザによってカラーコピーボタン１６が押されるまで待機する。
【００９２】
カラーコピーボタン１６が押されたことを検知したＣＰＵ４５は、ステップ１０７において、搬送系エラーがユーザによって排除されたかを判断する。ステップ１０７において搬送系エラーが排除されたと判断したＣＰＵ４５は、ステップ１０１に移行し同一の原稿画像に対して新たな複写処理（読み取り処理）を実行する。
【００９３】
以上記述した本実施形態によれば、以下の効果を奏する。
【００９４】
（１）図７に示すように複写処理の実行中に印刷処理が中断されるとその複写処理は中断され新たな複写処理が実行される。よって、原稿１枚分（連続した原稿画像）のデータを記憶するページメモリを備えない装置で、印刷中に給紙エラーやジャムなどの搬送系エラーが発生しスキャナ部による読み取り処理が原稿の読み取りの途中で中断したままエラー解除に時間がかかったとしても、エラーが解除された後に原稿は最初から読み取られる。よって、光量が時間的に変化する光源を用い、エラーの前後で大きく変化する光量によって発生する色むらを防ぐことができる。
【００９５】
（２）複写枚数などの複写条件は設定された枚数分の複写処理が完了するまで記憶されるため、ユーザに複写枚数やサイズなどの複写条件の入力を促すことなく複写処理を継続することができる。
【００９６】
（３）複写処理が実行されるごとに光源２３ａの白基準値が測定されるため、白基準値が測定されてから複写処理が完了されるまでの時間を短くすることができる。よって、原稿画像全体を読み取る読み取り処理に必要とされる時間内における白色冷陰極蛍光ランプの白基準値の変化量が低減される。また、各被印刷媒体毎の光源の光量の変化は各被印刷媒体ごとに白基準値を測定することでキャンセルされる。
【００９７】
（４）コピー品質モードを設定することで上述した複写処理が実行される構成とすることにより、再実行処理手段による新たな複写処理が実施される被印刷媒体が限定される。よって、例えば普通紙などのように色むらが表れにくい印刷用紙に再実行処理手段による新たな複写処理が実行されることを妨げることができる。
【００９８】
なお、上記実施の形態では、以下の態様に変更した変形例を採用してもよい。
【００９９】
（変形例１）上記実施形態においては印刷用紙としてカット紙を用いたがこのような態様に限定されず、印刷用紙としてロール紙を用いてもよい。
【０１００】
（変形例２）上記複写処理は、スキャナ部２とプリンタ部３とを備えたＳＰＣ複合装置１として示したがこのような態様に限定されない。例えば、パーソナルコンピュータとスキャナとプリンタとが接続されてなる複合機システムを構築し、パーソナルコンピュータのＣＰＵとプリンタドライバ用プログラムとで上述した処理を実現することもできる。
【０１０１】
（変形例３）上記実施形態では、ＣＰＵ４５がプログラムＲＯＭ４２に記憶されている制御プログラムを実行することによって実現されたがこのような態様に限定されない。例えば、プログラムを含むプリンタドライバとしてＳＰＣ複合装置に接続されたコンピュータにインストールすることにより上述した処理を実現することもできる。また、制御プログラムはネットワークを介してダウンロードすることもできるし、制御プログラムを記憶する記録媒体からインストールすることもできる。
【０１０２】
（変形例４）上記実施形態においては、ユーザによってコピー品質モードが設定されたときに再実行処理手段による新たな複写処理が実施されているがこのような態様によらずとも上述した（１）〜（３）の効果を奏することは可能である。
【０１０３】
次に、本発明の第２の実施形態について説明する。
【０１０４】
上記の実施の形態では、印刷中に給紙エラーやジャムなどの搬送系エラーが発生した場合には、エラーが解除された後に原稿を最初から読み取るようにしていた。これにより、色むらがない連続性を有する複写画像を得られることになるが、原稿を最初から読み直す分、複写時間は余計にかかることになる。
【０１０５】
写真用紙への印刷等においては、多少時間を要しても品質の高い複写印刷結果が得られる方がユーザにとって重要であると考えられるが、一方で、多少複写印刷品質が低下しても、処理時間が短い方が重要な複写処理もある。また、読み取り中断時間が短かったり、光源の光量が安定しており、エラーの前後で光量があまり変化しない状況もある。
【０１０６】
そこで、本発明の第２の実施形態では、より状況に応じた複写処理を可能とする複合機システムについて説明する。
【０１０７】
なお、本発明の第２の実施形態における複合機システムの構成は上記の実施の形態と同様とすることができる。また、基本的な複写処理のフローも上記実施の形態と共通する。このため、以下では、第２の実施形態の複合機システムにおける複写処理のうち、上記実施の形態との相違点を中心に説明する。
【０１０８】
図８はスキャナ部２で読み取った写真などの原稿の画像データをプリンタ部３で印刷する複写処理を示すフローチャートである。図７に示したフローチャートと同じ処理には同じステップ番号を付している。
【０１０９】
第２の実施形態では、給紙エラー等の搬送系が発生せずに正常な複写処理が行なわれる場合、すなわち、ステップ１００〜ステップ１０４については、上記の実施形態と同様の処理となる。
【０１１０】
一方、ステップ１０２において、紙検出センサ３８などの検出信号により印刷処理が的確に実行されているか（給紙エラーや紙送りエラーなどの搬送系のエラーが発生し印刷処理が中断されたか）を判断した結果、印刷処理が中断されたと判断された場合には、ＣＰＵ４５はステップ２０５に移行し読み取り処理をいったん中断する。すなわち、本実施形態では、印刷処理が中断した場合は、読み取り処理を停止するのではなく中断する。つまり、読み取り処理は再開される可能性がある。
【０１１１】
さらに、ＣＰＵ４５は、ステップ１０６に移行し液晶ディスプレイ１１に搬送系エラーの排除をユーザに促す画面を表示し、ユーザによってカラーコピーボタン１６が押されるまで待機する。
【０１１２】
カラーコピーボタン１６が押されたことを検知したＣＰＵ４５は、ステップ１０７において、搬送系エラーがユーザによって排除されたかを判断する。ステップ１０７において搬送系エラーが排除されたと判断したＣＰＵ４５は、ステップ２０８に移行し、読み取り再開条件を満たしているかを判断する。
【０１１３】
ここで、読み取り再開条件とは、印刷処理の中断により読み取り処理が中断し、その後エラーが解除された際に、読み取り処理を再開するために満たすべき条件である。すなわち、読み取り再開条件を満たした場合には、原稿を最初から読み直すのではなく、読み取り中断箇所から読み取り処理を再開することになる。この場合、原稿の読み取りを最初からやり直すのに比べ、複写のための処理時間を短縮することができる。
【０１１４】
一方、読み取り再開条件を満たさない場合には、中断していた読み取り処理を再開することなく停止し、ステップ１０１に戻って再度複写処理を開始する。すなわち、原稿を最初から読み取り直す。この場合、複写時間はかかるが、色むらがない連続性を有する複写結果が保証されることになる。
【０１１５】
なお、読み取り再開条件としては、種々の条件を用いることができる。図９は、読み取り再開条件の例について説明するための図である。本実施形態では、これらの条件のうち一または複数個の条件を採用することができる。また、これら以外の条件を採用するようにしてもよい。
【０１１６】
図９（ａ）は、読み取り再開条件を、セットされた印刷用紙が高品質以外であることとした場合の例である。高品質の印刷用紙は、例えば、写真用紙、高画質専用紙等とすることができ、それ以外の普通紙等が読み取り再開条件を満たすことになる。
【０１１７】
すなわち、高品質の印刷用紙を用いる場合は、一般に、高品質の複写結果が期待されていると考えることができる。一方、高品質の印刷用紙以外のときは、多少の色むらは問題にされなかったり、色むらが目立たないことも多いと考えられる。このため、読み取り処理が中断した場合に、高品質の印刷用紙を用いているときは読み取りを最初からやり直し、それ以外のときには読み取り処理を再開することで複写処理時間を短縮するようにしたものである。
【０１１８】
図９（ｂ）は、読み取り再開条件として、設定された複写モード（コピー品質モード）が高品質以外であることとした場合の例である。高品質の複写モードは、例えば、カラー印刷モード、高解像度印刷モード等とすることができ、それ以外の複写モード、例えば、通常複写モード、ドラフト印刷モード等が読み取り再開条件を満たすことになる。
【０１１９】
すなわち、高品質の複写モードを設定する場合は、複写結果が期待されていると考えることができる。一方、それ以外のときは、多少の色むらは問題にされないことも多いと考えられる。このため、読み取り処理が中断した場合に、高品質の複写モードが設定されているときには読み取りを最初からやり直し、それ以外のときには読み取り処理を再開することで複写処理時間を短縮するようにしたものである。
【０１２０】
図９（ｃ）は、読み取り再開条件として、読み取り処理の中断時間が基準時間以内であることとした場合の例である。すなわち、エラー発生からエラー解除までの時間が短ければ、中断の前後で光源の光量の差はあまり大きくないと考えられる。このため、あらかじめ基準時間を定めておき、中断時間が基準時間以内であれば、複写結果への影響は少ないと見なして読み取り処理を再開するようにしたものである。なお、中断時間は、給紙エラーの発生（ステップ１０２）からエラーの解除（ステップ１０７）までの時間を計測することで取得できる。
【０１２１】
図９（ｄ）は、中断前後で実際に読み取った画像の色を比較し、その差が基準値以内であることを読み取り再開条件としたものである。ここで、画像の色の比較は、同一の対象であることが望ましい。このため、例えば、原稿の所定の箇所、例えば、原稿の先頭部分、あるいは、中断時に読み取っていた箇所等をエラー解除後に再度読み込み、読み込み済みの同一の箇所のデータと比較するようにする。この結果、色の差があらかじめ定めた基準値以下であれば、色むらはほとんど生じないと見なして読み取り処理を再開するようにしたものである。
【０１２２】
なお、同一の箇所の色の差に基づいて、中断後あるいは中断前の読み取り画像データを補正することを前提に、読み取り処理を再開するようにしてもよい。この場合は、中断前後の色の差が基準値以上であっても最初から画像の読み取りをやり直す必要はない。また、読み取りデータの比較ではなく、光源の光量を測定して、中断前後の光量同士を比較するようにしてもよい。
【０１２３】
図８に戻って、図９に例示したような再開条件を満たさない場合には、ステップ１０１に戻って再度複写処理を開始する。すなわち、原稿を最初から読み取り直す。これにより、複写時間はかかるが、色むらがない連続性を有する複写結果が保証されることになる。
【０１２４】
一方、再開条件を満たす場合には、ステップ２０９に移行し、複写処理を再開する。すなわち、読み取り処理を中断した箇所から読み取り処理を再開し、ステップ１０３以降の処理を行なう。これにより、複写処理時間を短縮することができる。
【０１２５】
以上、本発明の第２の実施形態について説明した。
【０１２６】
なお、本発明の複写処理は、給紙処理が完了した後に画像の読み取り処理を開始する複合機システムのみならず、給紙処理の完了を待たずに画像の読み取り処理を開始する複合機システムにも適用することができる。このような複合機システムでは、複写処理の開始から複写処理の終了までの時間を短くすることができる。このため第２の実施形態を適用した場合には、搬送系エラーが発生した際にも、さらに複写処理のスループットを従来より向上させることが期待できる。
【図面の簡単な説明】
【０１２７】
【図１】ＳＰＣ複合装置を示す斜視図。
【図２】スキャナ部のカバーを開いた状態のＳＰＣ複合装置を示す斜視図。
【図３】（ａ）（ｂ）スキャナ部の概略構成図。
【図４】プリンタ部の概略構成図。
【図５】ＳＰＣ複合装置の電気的構成を示すブロック図。
【図６】複写処理を説明するための説明図。
【図７】本実施形態の複写処理のフローチャート。
【図８】第２の実施形態の複写処理のフローチャート。
【図９】再開条件を説明するための図。
【図１０】光源の光量の経時的変化を示す概念図。
【符号の説明】
【０１２８】
Ｍ：原稿、２：スキャナ部、３：プリンタ部、２３ａ：光源、４２：ＣＰＵが実行するプログラムが記憶されているプログラムＲＯＭ、４５：各処理を実行するＣＰＵ、４４：メモリ部として機能する第２のＳＤＲＡＭ４４。
【図１】
2006311468.tif 000003
【図２】
2006311468.tif 000004
【図３】
2006311468.tif 000005
【図４】
2006311468.tif 000006
【図５】
2006311468.tif 000007
【図６】
2006311468.tif 000008
【図７】
2006311468.tif 000009
【図８】
2006311468.tif 000010
【図９】
2006311468.tif 000011
【図１０】
2006311468.tif 000012